(57)【特許請求の範囲】
【請求項１】
抗菌性及び帯電防止性を有するグリッターであって、銀を第一の合成樹脂フィルムに蒸着して蒸着皮膜を成膜し、該蒸着皮膜面に合成樹脂をコーティングする又は前記蒸着皮膜面に第二の合成樹脂フィルムを接着することによって積層体を形成し、該積層体を細かく裁断する際、該積層体を該金属蒸着層の裁断端面の露出表面積を大きく確保すべくジグザグ状に裁断してなることを特徴とするグリッター。
【請求項２】
請求の範囲第１項に記載のグリッターを原糸に付着させたことを特徴とする布地。
【発明の詳細な説明】
技術分野
この発明は、抗菌性と審美性とを兼ね備えたグリッター、および当該グリッターが付着した布地に関する。
背景技術
近年、消費者の清潔指向の高まり、食肉・農海産物・花卉等の製産過程や鮮度管理の必要上から包装資材の分野において、抗菌性を備えた不織布が使用されている。そして、このような抗菌性不織布としては、従来から、有機系、キトサン等の動物たんぱく質系、ヒノキチオール等の植物性抗菌剤、銀ゼオライト等の鉱物系抗菌剤などを含浸又は付着させたものがある。
また、消費者の嗜好から、金属色の装飾が施された不織布製の包装資材などが使用されている。そして、このような用途に使用される装飾が施された不織布としては、従来から、合成樹脂フィルムにアルミニウム等の金属を蒸着させて積層体とし、当該積層体を細かく裁断したグリッター、積層体に前記金属蒸着面を保護する保護層を設けたグリッター、又は積層体の金属蒸着面や合成樹脂フィルムを染色してなるグリッター等、金属光沢の審美性を備えたグリッターが付着した不織布がある。
さらに、冷暖房効率を向上させるため、自動車のフロントガラスやビルの窓ガラスなどに断熱フィルムを貼りつけることが行われているが、このような断熱フィルムの多くは、合成樹脂フィルムの一面に金属を蒸着させ、蒸着された金属層に接着層を設けてなる積層体によって構成されている。
しかし、従来からある抗菌性不織布は、抗菌性は備えているものの、抗菌剤が洗濯によって容易に剥がれ落ちるという問題点に加え、審美性にかけるとの問題点があった。また、このような抗菌性不織布は、有害な電波・電磁波を遮断もしくは散乱させることはできないとの問題点があった。
また、従来からある装飾が施された不織布は、金属色による審美性は備えているものの、抗菌性に欠け、アルミニウム等を使用しているため静電気帯電により付着を望まないところにも付きやすいなど、取り扱いが難しいとの問題点があった。
さらに、従来からある断熱フィルムは、優れた熱遮断性を備えてはいるものの、その形状や硬さ・重さ等から衣料などの繊維製品に使用できないなどの問題点があった。
そこで、この発明は、繊維製品に使用することにより、当該繊維製品に抗菌性、電磁波遮断性、金属色による審美性、帯電防止性、熱遮断性を付与することができるグリッター及び当該グリッターが付着した布地を提供することを目的とする。
発明の開示
すなわち、この発明にかかるグリッターは、抗菌性金属を第一の合成樹脂フィルムに蒸着して蒸着皮膜を成膜し、該蒸着皮膜の抗菌性金属面に合成樹脂をコーティングする又は前記蒸着皮膜の抗菌性金属面に第二の合成樹脂フィルムを接着することによって積層体を形成し、該積層体を細かく裁断してなることを特徴とする。なお、抗菌性金属とは、銀、銅、亜鉛等のイオン交換可能な抗菌性を有する金属である。
また、この発明にかかる布地は、上記グリッターを原糸に付着させたことを特徴とする。
このように、この発明にかかるグリッターは、抗菌性金属による抗菌性、電磁波遮断性、帯電防止性と、抗菌性金属の金属光沢による審美性とを備えている。それと共に、この発明にかかるグリッターは、抗菌性金属からなる蒸着皮膜を含む積層体を細かく裁断したものであるため、衣料などの繊維製品に容易に付着させることができ、繊維製品に容易に熱遮断性を付与することができる。
発明を実施するための最良の形態
以下、この発明にかかるグリッター及び布地（不織布）の実施の形態について図面に基づいて説明する。
第１図は、この発明にかかる不織布１の外観を示す図であり、この図に示すように、不織布１は、不織布からなる基布２等から構成され、後述するグリッター４が付着した付着部１ａが設けられている。
第２図は、付着部１ａの部分拡大図であり、この図に示すように、基布２を構成する原糸２ａには、接着剤３によってグリッター４が付着している。
原糸２ａは、アクリル繊維、ナイロン繊維、ポリプロピリレン繊維、レーヨン、アセテート、キュプラ、繊維素繊維（指定外）などの化学・合成繊維、又は綿、麻、絹糸、ウール等の天然繊維のいずれかであってもよく、これらの複数を組合わせて使用してもよい。
また、接着剤３は、でんぷん、ポパール又は透明な熱可塑性樹脂を主成分とするものであり、このような熱可塑性樹脂としては、ポリエステル、ポリウレタン、アクリルなど一般的に使用されているものであればよい。
さらに、グリッター４は、第３図に示すように、第一の合成樹脂フィルム４１、蒸着皮膜４２および第二の合成樹脂フィルム４３からなり、一辺の長さが約０．１ｍｍから３ｍｍ程度の略四角形状の積層体である。この図に示すように、蒸着皮膜４２は、その四端面は外部に露出しており、その厚さは２５ｎｍから３００ｎｍ程度であり、機能の担保とコストの点からは５０ｎｍ程度が好ましい。ここで、抗菌性金属とは、銀、銅、亜鉛等のイオン交換可能な抗菌性を有する金属であり、なかでも、抗菌性と審美性とのバランスを考慮すると、銀の使用が最適である。また、合成樹脂フィルム４１、４２は、ポリエステル、ナイロン等から作られた厚さ約５〜１００ミクロンの透明なフィルムである。
さて、このような不織布１は、次に示すように（１）グリッター４の製造、（２）グリッター４の付着、によって製造される。なお、製造の方法については、第４図および第５図に基づいて説明する。
（１）グリッター４の製造
まず、第一の合成樹脂フィルム４１の一面に抗菌性金属を蒸着して蒸着皮膜４２を成膜し（第４図（ａ）参照）、蒸着皮膜４２の金属面に第二の合成樹脂フィルム４３を接着剤などによって接着する（第４図（ｂ）参照）ことによって、積層体４ａを形成する。つぎに、積層体４ａを、シュレッダーなどによって粉体状に裁断し（第４図（ｃ）参照）、グリッター４を製造する。裁断の際には、蒸着皮膜４２の露出を大きくするため、ジグザグ状に裁断することが好ましい。
（２）グリッター４の付着
まず、基布２に、凹版印刷方式によって接着剤３を塗布し、基布２上に接着剤３の層を形成する（第５図（ａ）参照）。なお、接着剤３の厚さは、蒸着皮膜４２の四端面の露出を妨げないよう、第一及び第二の合成樹脂フィルム４１、４３よりも薄いことが好ましい。つぎに、グリッター４を基布２に振り掛けて全面を覆い隠し（第５図（ｂ）参照）、上からグリッター４を加熱圧着する。最後に、付着しなかったグリッター４を吸い取って（第５図（ｃ）参照）、不織布１が完成する。
このように、不織布１は、グリッター４がその原糸２ａに付着しているため、グリッター４に含まれる蒸着皮膜４２による抗菌性、電磁波遮断性、帯電防止性、熱遮断性とともに、抗菌性金属の金属光沢による審美性を備えている。
なお、この発明は上記実施例に限定されるわけではなく、請求の範囲に記載された技術的な内容の範囲内において様々な変更を加えることができる。
例えば、上記実施例においては、第一の合成樹脂フィルム４１上に成膜された蒸着皮膜４２上に、第二の合成樹脂フィルム４３を接着剤により貼りつけて、積層体４ａを構成したが、このほかにも、合成樹脂を蒸着皮膜４２の上にコーティングすることにより積層体を構成してもよい。
また、上記実施例においては、グリッター４は基布２の表面に付着していたが、基布２の厚さなどによっては、その内側に付着していてもよい。
さらに、上記実施例においては基布として不織布を用いたが、この他にも織布や編布などの各種布地を使用することができ、これらの布地は、衣料にはもちろん、椅子、インテリア商品、布団・座布団、枕、ベッド、縫いぐるみ・人形等の表地又は裏地として使用することができ、グリッターが付着した布地をコンクリート壁、天井、床などに貼付したり塗り込めて、電磁波除去材として使用してもよい。
加えて、上記実施例においては、積層体４ａを細かく裁断したグリッター４を基布２に貼り付けたが、グリッター４を布袋等に入れて浴槽や花瓶などの浄化材として使用してもよく、壁材などに直接塗布してもよい。そして、椅子、インテリア商品、布団・座布団、枕、ベッド、縫いぐるみ・人形等のボリュームアップ材やクッション材として良く使われる、ポリエステルなど合成樹脂を主成分とする綿などに均等に混ぜたり、接着させたりしてもよい。
産業上の利用可能性
この発明にかかるグリッターは、抗菌性金属を含む積層体から構成されているため、抗菌性金属による抗菌性、電磁波遮断性、帯電防止性と、抗菌性金属の金属光沢による審美性とを備えている。また、このグリッターは、衣料などの繊維製品に容易に付着させることができ、繊維製品に容易に熱遮断性を付与することができる。さらに、このようなグリッターが原糸に付着しているため、この発明にかかる布地も、抗菌性等の特性を備えている。
【図面の簡単な説明】
第１図は、この発明にかかる布地（不織布）の外観を示す外観図であり、第２図は、この不織布の部分拡大図であり、第３図は、この発明にかかるグリッターの構成を示す図である。また、第４図は、グリッターの製造を説明する図であり、第５図は、不織布の製造を説明する図である。
【図１】
0003803825.tif 000002
【図２】
0003803825.tif 000003
【図３】
0003803825.tif 000004
【図４】
0003803825.tif 000005
【図５】
0003803825.tif 000006